(57)【要約】【課題】以前にフリーズした静止画を見ることができる映像再生装置を提供する。【解決手段】映像再生装置１は、記憶されたデータを読み出す再生手段３と、映像信号及び音声信号を生成する映像音声処理手段４と、各部を制御する制御手段５と、リモコン８からの制御信号を受信し、制御手段５に送信する受光部６と、映像再生装置１の本体に設けた操作キーを有し、この操作キーからの入力を制御信号に変換し、制御手段５に送信する操作手段７とを備える。また、制御手段５は、フリーズする静止画を抽出するフリーズ処理部５１と、静止画を保存するメモリ５２とを備える。【選択図】図１
2007124135.tif 000002
【特許請求の範囲】
【請求項１】
記憶媒体に記憶されたデータを読み出す再生手段と、
再生手段によって読み出されたデータから映像信号及び音声信号を生成する映像音声処理手段と、
入力された操作を制御信号に変換し、この制御信号を制御手段に送信する操作手段と、
再生手段、映像音声処理手段、操作手段を制御する制御手段とを備えた映像再生装置において、
前記制御手段は、映像信号からフリーズする静止画を抽出するフリーズ処理部と、静止画を保存するメモリとを備え、
前記映像音声処理手段は、前記メモリに記憶された静止画を映像信号に挿入する機能を備え、
前記操作手段は、フリーズを指示するキーと、保存された静止画の読み出しを指示するキーとを備えることを特徴とする映像再生装置。
【請求項２】
記憶媒体に記憶されたデータを読み出す再生手段と、
再生手段によって読み出されたデータから映像信号及び音声信号を生成する映像音声処理手段と、
リモコンから送信された制御信号を受信し、この制御信号を制御手段に送信する受光部と、
再生手段、映像音声処理手段、受光部を制御する制御手段とを備えた映像再生装置において、
前記制御手段は、映像信号からフリーズする静止画を抽出するフリーズ処理部と、静止画を保存するメモリとを備え、
前記映像音声処理手段は、前記メモリに記憶された静止画を映像信号に挿入する機能を備え、
前記受光部は、フリーズを指示する制御信号を受信し、この制御信号を制御手段に送信する機能と、保存された静止画の読み出しを指示する制御信号を受信し、この制御信号を制御手段に送信する機能とを備えることを特徴とする映像再生装置。
【発明の詳細な説明】
【技術分野】
【０００１】
本発明は、映像再生装置に関し、詳しくは、ＤＶＤ再生装置、ビデオテープレコーダに関する。
【背景技術】
【０００２】
映像再生中に、表示されている映像の静止画を、映像再生を停止させずに、表示し続けたい場合がある。これを実現するものに、フリーズ機能がある。
【０００３】
特許文献１は、映像の再生自体は停止せずに再生を続け、フリーズを指示するキーが押下された時点での静止画を表示する技術を開示している。また、最近では、フリーズ機能による静止画を子画面に表示する製品も発売されている。
【０００４】
【特許文献１】特開２００２−１０２８１号公報
【発明の開示】
【発明が解決しようとする課題】
【０００５】
しかし、上述した従来のフリーズ機能では、再度フリーズを実行した場合、それより前にフリーズ機能により表示されていた静止画は消えてしまい、二度と見ることができなくなってしまうという問題があった。
【０００６】
本発明は、上述の問題点に鑑みてなされたものであり、ユーザによってフリーズが指示された際に表示されていた映像の静止画を保存する機能と、保存されている静止画を表示させる機能とを備えることで、以前にフリーズした静止画を見ることができる映像再生装置を提供することを目的とする。
【課題を解決するための手段】
【０００７】
請求項１に記載の映像再生装置は、記憶媒体に記憶されたデータを読み出す再生手段と、再生手段によって読み出されたデータから映像信号及び音声信号を生成する映像音声処理手段と、入力された操作を制御信号に変換し、この制御信号を制御手段に送信する操作手段と、再生手段、映像音声処理手段、操作手段を制御する制御手段とを備えた映像再生装置において、前記制御手段は、映像信号からフリーズする静止画を抽出するフリーズ処理部と、静止画を保存するメモリとを備え、前記映像音声処理手段は、前記メモリに記憶された静止画を映像信号に挿入する機能を備え、前記操作手段は、フリーズを指示するキーと、保存された静止画の読み出しを指示するキーとを備えることを特徴とする。
【０００８】
請求項１に記載の映像再生装置によれば、ユーザによってフリーズが指示された際に表示されていた映像の静止画を保存する機能と、保存されている静止画を表示させる機能とを備えることで、以前にフリーズした静止画を見ることができる。
【０００９】
請求項２に記載の映像再生装置は、記憶媒体に記憶されたデータを読み出す再生手段と、再生手段によって読み出されたデータから映像信号及び音声信号を生成する映像音声処理手段と、リモコンから送信された制御信号を受信し、この制御信号を制御手段に送信する受光部と、再生手段、映像音声処理手段、受光部を制御する制御手段とを備えた映像再生装置において、前記制御手段は、映像信号からフリーズする静止画を抽出するフリーズ処理部と、静止画を保存するメモリとを備え、前記映像音声処理手段は、前記メモリに記憶された静止画を映像信号に挿入する機能を備え、前記受光部は、フリーズを指示する制御信号を受信し、この制御信号を制御手段に送信する機能と、保存された静止画の読み出しを指示する制御信号を受信し、この制御信号を制御手段に送信する機能とを備えることを特徴とする。
【００１０】
請求項２に記載の映像再生装置によれば、ユーザによってフリーズが指示された際に表示されていた映像の静止画を保存する機能と、保存されている静止画を表示させる機能とを備えることで、以前にフリーズした静止画を見ることができる。
【発明の効果】
【００１１】
本発明によれば、ユーザによってフリーズが指示された際に表示されていた映像の静止画を保存する機能と、保存されている静止画を表示させる機能とを備えることで、以前にフリーズした静止画を見ることができる映像再生装置を提供することができる。
【発明を実施するための最良の形態】
【００１２】
本発明の実施の形態を、図面を参照して説明する。なお、以下の実施例は本発明の具体例に過ぎず、本発明が以下の実施形態に限定されるものではない。
【００１３】
図１は、本実施例の映像再生装置１の構成を示す図である。この映像再生装置１は、再生手段３、映像音声処理手段４、制御手段５、受光部６、操作手段７を備える。
【００１４】
再生手段３は、記憶媒体２に記憶されたデータを読み出す。映像音声処理手段４は、再生手段によって読み出されたデータから映像信号及び音声信号を生成し、外部の表示装置１０（液晶パネルやブラウン管等で構成された表示部１１を備える）に出力する。また、映像音声処理手段４は、メモリ５２に記憶された静止画を映像信号に挿入する。受光部６は、リモコン８から送信された、フリーズを開始する制御信号を受信し、この制御信号を制御手段５に送信する機能と、リモコン８から送信された、保存された静止画を読み出す制御信号を受信し、この制御信号を制御手段５に送信する機能とを備える。操作手段７は、映像再生装置１の本体に設けられた操作キーを備え、この操作キーからの操作入力を制御信号に変換し、制御手段５に送信する。
【００１５】
制御手段５は、再生手段３、映像音声処理手段４、受光部６、操作手段７を制御する。また、制御手段５は、映像信号からフリーズする静止画を抽出するフリーズ処理部５１と、静止画を保存するメモリ５２とを備える。
【００１６】
図２は、リモコン８を示す図である。リモコン８は、フリーズ（ＦＲＥＥＺＥ）キー８１、リターン（ＲＥＴＵＲＮ）キー８２、電源（ＰＯＷＥＲ）キー８３を備える。フリーズ（ＦＲＥＥＺＥ）キー８１が押下されると、リモコン８は、フリーズを指示する制御信号を送信する。リターン（ＲＥＴＵＲＮ）キー８２が押下されると、リモコン８は、保存された静止画の読み出しを指示する制御信号を送信する。電源（ＰＯＷＥＲ）キー８３が押下されると、リモコン８は、電源のオン又はオフを行う制御信号を送信する。
【００１７】
このように構成された映像再生装置における動作を図３に示すフローチャートを使用して説明する。
【００１８】
映像の再生が指示されると、ステップＳ１１０に進み、映像の再生が始まる。続くステップＳ１２０では、制御手段５が、フリーズ（ＦＲＥＥＺＥ）キー８１が押下されたか判断し、押下された場合はステップＳ１３０に進み、そうでない場合はステップＳ１２０に進む。
【００１９】
ステップＳ１３０では、フリーズ処理部５１が、映像信号からフリーズする静止画を抽出し、メモリ５２に保存する（以下、フリーズした静止画をフリーズ画面と記載する）。ここで、これよりも前に保存されていたフリーズ画面は、消去される（即ち、ここでのフリーズ画面の保存は、上書き保存である）。続くステップＳ１４０では、映像音声処理手段４が、メモリ５２に保存されたフリーズ画面を映像信号に挿入することで、フリーズ画面を表示装置１０の表示部１１に表示し、ステップＳ１５０に進む。
【００２０】
ステップＳ１５０では、制御手段５が、フリーズ（ＦＲＥＥＺＥ）キー８１が押下されたか判断し、押下された場合はステップＳ１６０に進み、そうでない場合はステップＳ１５０に進む。
【００２１】
ステップＳ１６０では、映像音声処理手段４が、フリーズ画面の挿入を停止することで、フリーズ画面の表示を停止し、ステップＳ１７０に進む。ステップＳ１７０では、制御手段５が、リターン（ＲＥＴＵＲＮ）キー８２が押下されたかを判断し、押下された場合はステップＳ１８０に進み、そうでない場合はステップＳ２２０に進む。
【００２２】
ステップＳ１８０では、制御手段５が、メモリ５２に保存されたフリーズ画面を読み出し、続くステップＳ１９０では、映像音声処理手段４が、読み出されたフリーズ画面を映像信号に挿入することで、フリーズ画面を表示装置１０の表示部１１に表示し、ステップＳ２００に進む。
【００２３】
ステップＳ２００では、制御手段５が、フリーズ（ＦＲＥＥＺＥ）キー８１が押下されたか判断し、押下された場合はステップＳ１６０に進み、そうでない場合はステップＳ２１０に進む。
【００２４】
ステップＳ２１０では、制御手段５が、電源（ＰＯＷＥＲ）キー８３が押下されたか判断し、押下された場合はステップＳ２３０に進み、そうでない場合はステップＳ２００に進む。
【００２５】
ステップＳ２２０では、制御手段５が、電源（ＰＯＷＥＲ）キー８３が押下されたか判断し、押下された場合はステップＳ２３０に進み、そうでない場合はステップＳ１１０に進む。
【００２６】
ステップＳ２３０では、制御手段５が映像の再生を停止し、続くステップＳ２４０では、制御手段５が電源をオフにし、「エンド」に進む。
【００２７】
このようにして、ユーザによってフリーズが指示された際に表示されていた映像の静止画を保存する機能と、保存されている静止画を表示させる機能とを備えることで、以前にフリーズした静止画を見ることができる映像再生装置を提供することができる。
【００２８】
なお、上述の説明では、フリーズの指示と保存された静止画の読み出しの指示は、リモコン８に備えられたキーによるものであったが、映像再生装置１の本体に設けられた操作キーによって行っても良い。
【００２９】
また、フリーズを指示するためのキーは、フリーズ指示専用のキーであっても良いし、他の操作のためのキーと兼用しても良い。同様に、保存された静止画の読み出しを指示するためのキーは、読み出し指示専用のキーであっても良いし、他の操作のためのキーと兼用しても良い。
【００３０】
更に、フリーズ画面の表示は、画面全体によって実施しても良いし、表示画面の一部に設けた子画面によって実施しても良い。
【図面の簡単な説明】
【００３１】
【図１】実施例の構成を示す図である。
【図２】実施例の構成を示す図である。
【図３】実施例の動作を説明するフローチャートを示す図である。
【符号の説明】
【００３２】
１  映像再生装置
４  映像音声処理手段
５  制御手段
６  受光部
７  操作手段
８  リモコン
５１  フリーズ処理部
５２  メモリ
８１  フリーズ（ＦＲＥＥＺＥ）キー
８２  リターン（ＲＥＴＵＲＮ）キー
８３  電源（ＰＯＷＥＲ）キー
【図１】
2007124135.tif 000003
【図２】
2007124135.tif 000004
【図３】
2007124135.tif 000005